(57)【要約】【課題】  機械的な振動によってリラクゼーション効果を発揮し、主に浴槽で使用される玩具１を提供することを目的とする。【解決手段】  分離可能に密閉された本体２と、該本体２内に振動モータ３と該振動モータ３に電力を供給するために設けられた電源４と、該電源４のオンオフを切り替える入力部５とを備え、前記浴槽用玩具１が水中に浮遊するように構成され、複数の貫通孔を形成したカバー21を前記本体２の外側に支持部24を介して設けることを特徴とする。【選択図】図１
2005211181.tif 000002
【特許請求の範囲】
【請求項１】
分離可能に密閉された本体と、該本体内に振動装置と該振動装置に電力を供給するための電源と、該電源のオンオフを切り替える入力部とを備えたことを特徴とする浴槽用玩具。
【請求項２】
前記浴槽用玩具が水中に浮遊するように構成されたことを特徴とする請求項１記載の浴槽用玩具。
【請求項３】
複数の貫通孔を形成したカバーを前記本体の外側に支持部を介して設けたことを特徴とする請求項１または２記載の浴槽用玩具。
【請求項４】
前記本体に遠隔装置からの信号を受信する受信装置を備えたことを特徴とする請求項１乃至３いずれか１項記載の浴槽用玩具。
【請求項５】
前記本体が中央で分離可能な球体からなることを特徴とする請求項１乃至４いずれか１項記載の浴槽用玩具。
【請求項６】
前記本体が二つの円錐体を組み合わせて構成されていることを特徴とする請求項１乃至４いずれか１項記載の浴槽用玩具。
【請求項７】
前記本体および前記カバーに酸化チタンによる塗膜を施したことを特徴とする請求項１乃至６いずれか１項記載の浴槽用玩具。
【請求項８】
前記本体内に複数の磁石を設けたことを特徴とする請求項１乃至７いずれか１項記載の浴槽用玩具。
【発明の詳細な説明】
【技術分野】
【０００１】
本発明は、主に浴槽内で使用する玩具であって、特に振動機能を付加しリラクゼーション効果を発揮するものに関するものである。
【背景技術】
【０００２】
従来、入浴中に浴槽内で使用される玩具として、ただ浮かべるか、またはぜんまいやモータなどによってスクリュウを回転させ浴槽内を走らせるものが知られている。また、玩具としてだけでなく、筋肉の疲労回復や神経緩和などのいわゆるリラクゼーション効果を発揮する機能を有するものとして、炭酸ガスを発生する入浴剤を設置する収納室を備えた本体と、この収納室の上部に入浴剤が溶解する際に発生する炭酸ガスを溜めておく空洞部と、この空洞部の最上部に炭酸ガスを放出する放出口とを設けた玩具が開示されている（例えば特許文献１）。
【特許文献１】特開平０９−２９４７９７号公報
【発明の開示】
【発明が解決しようとする課題】
【０００３】
しかながら、上記特許文献によっても、もたらされるリラクゼーション効果は入浴剤によるものであり、静的な効果であって、機械的な振動などによって得られる皮膚への刺激やマッサージ効果などのいわゆる動的な効果には至らないという懸念があった。
【０００４】
そこで、本発明は上記した問題点に鑑み、機械的な振動によってリラクゼーション効果を発揮し、主に浴槽で使用される玩具を提供することを目的とする。
【課題を解決するための手段】
【０００５】
上記目的を達成するために、本発明に係る浴槽用玩具は、分離可能に密閉された本体と、該本体内に振動装置と該振動装置に電力を供給するために設けられた電源と、該電源のオンオフを切り替える入力部とを備えたことを特徴とする。
【０００６】
また、前記浴槽用玩具が水中に浮遊するように構成されることが好ましい。
【０００７】
また、複数の貫通孔を形成したカバーを前記本体の外側に支持部を介して設けるのが好ましい。
【０００８】
また、前記本体に遠隔装置からの信号を受信する受信装置を備えるのが好ましい。
【０００９】
また、前記本体が中央で分離可能な球体からなるのが好ましい。
【００１０】
また、前記本体が二つの円錐体を組み合わせて構成されてもよい。
【００１１】
また、前記本体および前記カバーに酸化チタンによる塗膜を施すのが好ましい。
【００１２】
また、前記本体内に複数の磁石を設けるのが好ましい。
【発明の効果】
【００１３】
本発明の請求項１記載の浴槽用玩具によれば、密閉された本体内に振動モータを備えたから、本体を浴槽内に投入して、水に振動を伝達することによって間接的に人体に低周波の振動を与え、筋肉疲労の回復や神経緩和といったリラクゼーション効果を発揮できる。
【００１４】
また、請求項２に記載の浴槽用玩具によれば、玩具の比重をおよそ１としたから、玩具全体が水没しながら水中を浮遊するのでより効率的に水に振動を与え、より良好なリラクゼーション効果を発揮できる。
【００１５】
また、請求項３に記載の浴槽用玩具によれば、本体の外側にカバーを設けたから、水との接触面積が増えるので、より強力に水に振動を与えることができる。
【００１６】
また、請求項４に記載の浴槽用玩具によれば、遠隔装置からの信号を受信する受信装置を本体に設けたから、遠隔操作により振動モータのオンオフを切り替えることができる。
【００１７】
また、請求項５に記載の浴槽用玩具によれば、本体が分離可能な球体により構成されているから、水中における振動の伝播が全方向に広がり、本体内に設置した電源を容易に交換できる。
【００１８】
また、請求項６に記載の浴槽用玩具によれば、本体を二つの円錐体を組み合わせて構成したから、体に直接玩具を当てた場合に、局所的に刺激を与えることができる。
【００１９】
また、請求項７に記載の浴槽用玩具によれば、本体および前記カバーに酸化チタンによる塗膜を施したから、玩具の汚れ防止を図れるだけでなく、浴槽の湯の浄化を行なえる。
【００２０】
また、請求項８に記載の浴槽用玩具によれば、本体内に複数の磁石を設けたから、磁気による血行が改善されることによって、振動との相乗効果によってより良好なマッサージ効果、リラクゼーション効果が発揮できる。
【発明を実施するための最良の形態】
【００２１】
以下図面を参照して、本発明の好適な実施形態について説明する。図１は本発明に係る玩具の一実施形態を示す斜視図であり、開蓋状態を示す図である。図２は変形例を示す斜視図である。図３は閉蓋およびカバー装着状態を示す図である。図４はケースを模式的に示す構成図であり、（ａ）は平面図、（ｂ）はＡ−Ａ断面図である。図５は別の変形例を示す断面図であり、図４におけるＡ−Ａ断面図である。
【００２２】
図１に示す浴槽用玩具１（以下、玩具）は、上下に分離可能な本体２と、該本体２内に振動モータ３と該振動モータ３に電力を供給するための電源４とを設け、該電源４のオンオフを切り替える入力部５とを備える。前記玩具１は、湯を張った浴槽に投入した際、水中を浮遊するようにするため、比重がおよそ１となるように構成される。このため、適宜選択的に本体２内に図示しないバランスウェイトを備えてもよい。これにより、玩具１が水中を浮遊することによって、玩具１全体から水へ振動が伝達されるので、より効率的に浴槽内を低周波域にすることができ、リラクゼーション効果を発揮することができる。尚、電源４は、例えばボタン電池など小型のものが備えられ、適宜交換可能に設置されるとよい。
【００２３】
前記本体２は、硬質樹脂などの絶縁体からな球体の容器であり、本体２の上部を構成する蓋体６と下部を構成するケース７とをシール材10を介して一体化することによって密閉される。すなわち、該ケース７の上端縁部に形成した雄ネジ８を前記蓋体６の下端縁部内面に形成した雌ネジ９に螺合し、前記雄ネジ８の下端に備えたシール材10、例えばＯリングに前記雌ネジ９の先端縁部11が当接しネジの締め付け力によってシールされて本体２が密閉される。前記本体２は、手に持ちやすい大きさを有し、例えば、１０〜１２ｃｍ程度の大きさに形成されるとよい。
【００２４】
本体２外側には、振動モータ３が発生する振動をより効率的に外部、すなわち水へ伝達するためのカバー21を備えてもよい。該カバー21は支持部24において本体２に接続され、この支持部24を介して振動モータ３が発生する振動をカバー21に伝達する。前記カバー21は、本体２と同じ硬質樹脂などの絶縁体からなる半球形の上部カバー21aと下部カバー21bとにより構成され、それぞれ蓋体６およびケース７に支持される。カバー21表面には複数の貫通孔22が形成され、上部カバー21aの上端面および下部カバー21bの下端面には本体２に形成された入力部５と外部とを繋ぐ連結窓23が形成され、この連結窓23は入力部５がカバー21表面に現れる大きさに形成される。上部カバー21aおよび下部カバー21bが支持部24において本体２に設置されたとき、本体２とカバー21内面との間に水が浸入し流動可能な隙間部25を形成するためのスペーサ26がカバー21内面に複数設けられ、この隙間部25を水が流動することによって、より効率的に振動が水へ伝達される。前記支持部24は、本体２に形成された雌ネジ28と、カバー21に形成された貫通孔27と前記スペーサ26と、前記貫通孔27に挿通し前記雌ネジ28に螺合してカバー21を本体２に固定するビス29とからなり、複数箇所設けられ、このような構成によって本体２にカバー21を着脱自在に固定する。
【００２５】
前記ケース７内には、第１の座部31と該第１の座部31の下方に第２の座部32が形成されており、前記第１の座部31には第１の基板33が、前記第２の座部32には第２の基板34がそれぞれ着脱自在にビス35によって固定されている。前記第１の座部31は、ケース７と一体的もしくは後付部品としてケース７内に設けられ、図示しないが、第１の基板33を固定するためのビス35に対応した雌ネジが形成されている。同様に第２の座部32は、ケース７と一体的もしくは後付部品としてケース７内に設けられ、第２の基板34を固定するためのビス35に対応した雌ネジが形成されている。
【００２６】
前記第１の基板33は、３本の腕部と該腕部33aが中央で交差して形成された結合部33bとからなり、前記腕部33aの先端において第１の座部31に固定されており、結合部33bには振動装置が備えられている。この振動装置は電源から供給される電力によって振動を発生し、例えば、モータ本体41と、該モータ本体41に供給される電源４とを接続する端子42と、出力軸であるシャフト43と、該シャフト43の先端に備えられた分銅44とを備える振動モータ３が設置されており、前記端子42は前記第２の基板34に設置されたスイッチ53に電気的に接続されている。
【００２７】
前記第２の基板34には、前記電源４と、本体２に設けられた入力部５の信号により振動モータ３への電力供給のオンオフを切り替えるスイッチ53とが設置されている。スイッチ53は、電源４と電気的に接続され、さらに前記端子42を介して前記振動モータ３と電気的に接続されている。尚、第１の基板33は必ずしも３つの腕部からなるものである必要はなく、ケース７および本体２に振動モータ３が発生する振動を効率的に伝達するのに最も適した形状とされるのが好ましい。さらに、第２の基板34に設置された前記電源４およびスイッチ53は前記第１の基板33に設置してもよい。そうすることによって、第２の基板34を設ける必要がないので、部品点数および加工、組立工数を低減しコストを低減できる。
【００２８】
入力部５は、受信装置または／および電源用釦として、蓋体６の上端部または／およびケース７の下端部に設けられており、カバー21を本体２に装着した場合には前記連結窓23より外部からの信号を受信し、または後述する電源用釦53を直接押すなどの操作ができるようになっている。
【００２９】
まず、前記入力部５を受信装置とした場合について説明する。受信装置は外部受信装置51と回路の開閉を行なうスイッチ53と接続した内部受信装置52と図示しない遠隔装置とにより構成される。外部受信装置51は、蓋体６の上端部または／およびケース７の下端部に防水仕様を施して設けられ、さらに内部受信装置52が前記第２の基板34または前記第１の基板33に設置され、前記外部受信装置51と無線で接続され、さらに、前記スイッチ53を介して電源４と端子42に電気的に接続されて構成されている。上記の通り、スイッチ53と内部受信装置52とは電気的に接続されている。このように、外部受信装置51とスイッチ53とを内部受信装置52を介して無線で接続することとしたから、本体２を分離する際に配線が邪魔になることがなく、容易に電源４である電池を交換できる。
【００３０】
外部受信装置51は、外部の図示しない遠隔装置からの信号を受信すると、内部受信装置52にその信号を送信し、内部受信装置52に接続されたスイッチ53が送信された信号に応じて電源４と振動モータ３を繋ぐ回路を適宜開閉することによって、振動モータ３のオンオフを切り替えることができる。
【００３１】
尚、内部受信装置52を経由せずに前記外部受信装置51とスイッチ53とを有線で接続し、該スイッチ53を介して電源４と振動モータ３とを接続してもよい。こうすることによって、内部受信装置52を省略できるため部品点数を減らし、生産コストを低減できる。
【００３２】
次に、この入力部５を電源用釦53とした場合を説明する。電源用釦53は蓋体６の上端部または／およびケース７の下端部に防水仕様を施して設けられ、回路の開閉を行なうスイッチ53に接続されており、該スイッチ53を介して電源４と振動モータ３とが接続されている。このスイッチ53は入力部の内側もしくは第２の基板34、または第１の基板33に備えてもよい。振動モータ３の動作を開始するには、この電源用釦53に対する押圧により回路の開閉を行なうスイッチ53が投入されることによって、電力が電源４から端子42を介して振動モータ３へ供給され、振動モータ３が回転を始め、出力軸であるシャフト43の先端に設けられた分銅44が回転することによって玩具１が振動する。また、振動モータ３の動作を停止する場合は、同様に電源用釦53に対する押圧によりスイッチ53をオフにすることによって電力を遮断し、モータを停止できる。
【００３３】
上記した入力部５は、受信装置と電源用釦53のうち少なくともいずれか一方を備えていれば足り、また、受信装置と電源用釦53を併用もしくは一体的に備えてもよい。
【００３４】
次に上記した本実施形態に係る玩具１の作用について説明する。
【００３５】
まず、遠隔操作により玩具１を使用する場合について説明する。図示しない遠隔装置が振動モータ３をスタートさせる信号を発すると、その信号を入力部５である外部受信装置51が受け取り、その信号が本体２内部に設置された内部受信装置52に無線または有線により送信される。この信号に応じスイッチ53が回路を閉じることによって、電力が電源４から端子42を介して振動モータ３へ供給されてモータが回転を始め、分銅44が設けられたシャフト43が回転することによって振動が発生する。その振動は第１の基板33からケース７および本体２へ伝達され、支持部24を介してカバー21へと伝達される。この状態で湯を張った浴槽に玩具１を投入すると、本体２は比重がおよそ１となるように構成されているので水中を浮遊し、本体２およびカバー21を介して振動モータ３が発生する振動を水へと伝達する。このとき、本体２表面だけでなくカバー21表面において水と接触するのでより効率的に伝達できるだけでなく、本体２表面とカバー21内面との間に形成された隙間部25を水が流動することによって、本体２表面とカバー21内面との両側から水が加振されることにより強力に振動が水へ伝達される。
【００３６】
また、玩具１の振動を停止させるには、開始時と同様に遠隔装置が振動モータ３を停止させる信号を発信すると、その信号を外部受信装置51が受け取り、その信号が本体２内部に設置された内部受信装置52に無線または有線により送信される。この信号に応じスイッチ53が回路を開くことによって、振動モータ３への電力供給が遮断され、動作を停止できる。
【００３７】
次に、電源用釦53により玩具１を使用する場合について説明する。この電源用釦53に対する押圧により回路の開閉を行なうスイッチ53が投入されると、電力が電源４から端子42を介して振動モータ３へ供給されてモータが回転を始め、分銅44が設けられたシャフト43が回転することによって振動が発生する。また、振動モータ３を停止する場合には、電源用釦53に対する押圧により回路の開閉を行なうスイッチ53をオフすることによって、振動モータ３へ供給される電力が遮断され振動モータ３が停止する。
【００３８】
また玩具１の使用に際しては種々の効果が期待できる。例えば、玩具１は浴槽内において水中に浮遊させるだけでなく、玩具１を直接手に持ち、患部たとえば、肩や腰など筋肉が緊張している部分に本体２をあてることによって、患部に直接振動が伝わりより効果的に筋肉の疲労回復を図れる。また、手や足などに神経障害がある場合などは、該当部位に本体２をあてることによってリハビリ効果も期待できる。このとき、カバー21を適宜選択的に取り外してもよいことはもちろんである。
【００３９】
本実施形態に係る玩具１の変形例として、本体２は、図６に示すように、二つの円錐体51,52を組み合わせて構成してもよい。こうすることによって、表面積が上下方向と左右方向において同一とはならないため、振動の方向性と相俟って面白さが増すとともに、体の適当な部位に当てる際にも、局所的に振動を加えることができる。
【００４０】
さらに、別の変形例として、図７に示すように、玩具１は浴槽内に設置されたフック61に係止されても良い。このフック61は浴槽の側壁内面60に貼着するための貼着手段である吸盤62と、該吸盤62に設けられた係止部63とからなり、該係止部63はステンレスなどの弾性部材からなり、一端が吸盤に固定され、他端が本体２の外周と略同形状に湾曲して形成されている。この係止部63に玩具１を係止しておくことによって、浴槽に張った湯の中に保持しておくことができ、入浴する際、過って玩具１を踏みつけるなどして転倒する危険を回避できる。
【００４１】
尚、玩具１は半透明の硬質樹脂によって構成されても良い。こうすることによって、遠隔装置からの信号を受信する受信装置を本体２内部に設置することができるので本体２の密閉性を高めることができるだけでなく、内部の構成が外部から見えることによって、意匠性が増し、より面白さを増すことができる。
【００４２】
また、本体２表面に装飾用の発光体を備えることとしてもよい。発光体は前記切替部と電気的に接続され、入力部５からの信号により前記電源４から電力が供給されることによって発光する。こうすることによって、玩具１としての面白さが増すだけでなく、電源４の切り忘れを防止できる。
【００４３】
さらに、玩具１は酸化チタンによる塗膜を施してもよい。こうすることによって、玩具１の汚れを防止できるほか、浴槽内の湯の浄化を期待できる。
【００４４】
また、本体２内に複数の磁石を均等に配してもよい。こうすることによって、磁石による磁気の伝達と振動との相乗効果によって、肉体および神経系に対し、より良好な緩和、癒し効果であるリラクゼーション効果を発揮できる。
【００４５】
上記のように本実施形態においては請求項１に対応して、分離可能に密閉された本体２と、該本体２内に振動モータ３と該振動モータ３に電力を供給するために設けられた電源４と、該電源４のオンオフを切り替える入力部５とを備えたから、本体２を浴槽内に投入して、水に振動を伝達することによって間接的に人体に低周波の振動を与え、筋肉疲労の回復や神経緩和といったリラクゼーション効果を発揮できる。
【００４６】
また、請求項２に対応して、玩具１の比重をおよそ１としたから、玩具１全体が水没しながら水中を浮遊するのでより効率的に水に振動を与え、より良好なリラクゼーション効果を発揮できる。
【００４７】
また、請求項３対応して、本体２の外側にカバー21を設けたから、水との接触面積が増えるので、より強力に水に振動を与えることができる。
【００４８】
また、請求項４に対応して、遠隔装置からの信号を受信する受信装置を本体２に設けたから、遠隔操作により振動モータ３のオンオフを切り替えることができる。
【００４９】
また、請求項５に対応して、本体２が分離可能な球体により構成されているから、水中における振動の伝播が全方向に広がり、本体２内に設置した電源４を容易に交換できる。
【００５０】
また、請求項６に対応して、本体２を二つの円錐体を組み合わせて構成したから、体に直接玩具１を当てた場合に、局所的に刺激を与えることができる。
【００５１】
また、請求項７に対応して、本体２および前記カバー21に酸化チタンによる塗膜を施したから、玩具１の汚れ防止を図れるだけでなく、浴槽の湯の浄化を行なえる。
【００５２】
また、請求項８に対応して、本体２内に複数の磁石を設けたから、磁気による血行が改善されることによって、振動との相乗効果によってより良好なマッサージ効果、リラクゼーション効果が発揮できる。
【００５３】
本発明は、本実施形態に限定されるものではなく、本発明の要旨の範囲内で種々の変形実施が可能である。例えば、振動モータ３は円筒形状のものを図示したが、扁平のものであってもよい。
【図面の簡単な説明】
【００５４】
【図１】本発明に係る玩具の一実施形態を示す斜視図であり、開蓋状態を示す図である。
【図２】本発明に係る玩具の一実施形態を示す斜視図であり、変形例を示す斜視図である。
【図３】本発明に係る玩具の一実施形態を示す斜視図であり、閉蓋およびカバー装着状態を示す図である。
【図４】同上、ケースを模式的に示す構成図であり、（ａ）は平面図、（ｂ）はＡ−Ａ断面図である。
【図５】同上、別の変形例を示す断面図であり、図４におけるＡ−Ａ断面図である。
【図６】本発明に係る玩具の変形例を示す斜視図であり、閉蓋およびカバー装着状態を示す図である。
【図７】本発明に係る玩具の別の変形例を示す斜視図でり、使用状態を示す図である。
【符号の説明】
【００５５】
１    玩具
２    本体
３    振動モータ（振動装置）
４    電源
５    入力部
21    カバー
22    貫通孔
24    支持部
51    受信装置
【図１】
2005211181.tif 000003
【図２】
2005211181.tif 000004
【図３】
2005211181.tif 000005
【図４】
2005211181.tif 000006
【図５】
2005211181.tif 000007
【図６】
2005211181.tif 000008
【図７】
2005211181.tif 000009